(57)【要約】      （修正有）【課題】高い操作確実性を有するシート搬送要素を提供する。【解決手段】シート搬送要素は、印刷シート１８を保持する複数の吸着開口６と、複数の通気部５を有する複数の縦スライダ２ａ〜２ｈと、複数の通気部４を有する複数の横スライダ１ａ〜１ｅとを備え、縦スライダ２ａ〜２ｈと横スライダ１ａ〜１ｅとは、縦横に交差して配置されていて、様々な判型に対応する切替位置へ摺動可能であり、切替位置において、縦スライダ２ａ〜２ｈおよび横スライダ１ａ〜１ｅは、様々に吸着開口６を遮断する。【選択図】図１
2018070380.tif 000002
【特許請求の範囲】
【請求項１】
シート搬送要素であって、
印刷シート（１８）を保持する複数の吸着開口（６，２６）と、複数の通気部（５，２５）を有する複数の縦スライダ（２ａ〜２ｈ，２２）と、複数の通気部（４，２４）を有する複数の横スライダ（１ａ〜１ｅ，２１）と、を備え、前記縦スライダ（２ａ〜２ｈ，２２）と前記横スライダ（１ａ〜１ｅ，２１）とは、縦横に交差して配置されていて、様々な判型に対応する切替位置へ摺動可能であり、前記切替位置において、前記縦スライダ（２ａ〜２ｈ，２２）および前記横スライダ（１ａ〜１ｅ，２１）は、様々に前記吸着開口（６，２６）を遮断する、シート搬送要素。
【請求項２】
前記縦スライダ（２ａ〜２ｈ，２２）を切り替えるために、共通の第１の調節駆動装置が設けられている、請求項１記載のシート搬送要素。
【請求項３】
前記第１の調節駆動装置は、第１のハンドグリップ、第１の工具差込成形部または第１のモータ（１２，３２）として構成されている、請求項２記載のシート搬送要素。
【請求項４】
前記第１の調節駆動装置は、第１のスピンドル駆動装置（１３，３３）と結合されており、該第１のスピンドル駆動装置（１３，３３）に、第１の縦スライダ切替器（７，２７）および第２の縦スライダ切替器（８，２８）が装着されており、該第１の縦スライダ切替器（７，２７）および該第２の縦スライダ切替器（８，２８）は、直線的に摺動可能に支持されている、請求項２または３記載のシート搬送要素。
【請求項５】
前記第１の縦スライダ切替器（７，２７）に、前記第１のスピンドル駆動装置（１３，３３）の右ねじ山（１５）が螺入されており、前記第２の縦スライダ切替器（８，２８）に、第１のスピンドル駆動装置（１３，３３）の左ねじ山（１４）が螺入されている、請求項４記載のシート搬送要素。
【請求項６】
前記第１の縦スライダ切替器（７，２７）および前記第２の縦スライダ切替器（８，２８）は、前記縦スライダ（２ａ〜２ｈ，２２）に設けられたカム従動節（１１，３１）と切替接触させられる切替カム（１０，３０）を有する、請求項５または６記載のシート搬送要素。
【請求項７】
前記横スライダ（１ａ〜１ｅ，２１）を切り替えるために、共通の第２の調節駆動装置が設けられている、請求項１から６までのいずれか１項記載のシート搬送要素。
【請求項８】
前記第２の調節駆動装置は、第２のハンドグリップ、第２の工具差込成形部または第２のモータ（１６，３６）として構成されている、請求項７記載のシート搬送要素。
【請求項９】
前記第２の調節駆動装置は、横スライダ切替器（９，２９）を位置調節するために用いられる第２のスピンドル駆動装置（１７，３７）と結合されている、請求項７または８記載のシート搬送要素。
【請求項１０】
前記横スライダ切替器（９，２９）は、前記横スライダ（１ａ〜１ｅ，２１）に設けられたカム従動節（１１，３１）と切替接触させられる切替カム（１０，３０）を有する、請求項９記載のシート搬送要素。
【請求項１１】
前記シート搬送要素は、トレーであり、前記横スライダ切替器（９）は、直線的に摺動可能に支持されている、請求項９または１０記載のシート搬送要素。
【請求項１２】
前記シート搬送要素は、ドラムであり、前記横スライダ切替器（２９）は、回動可能に支持されている、請求項９または１０記載のシート搬送要素。
【発明の詳細な説明】
【技術分野】
【０００１】
本発明は、印刷シートを保持する吸着開口を備えるシート搬送要素に関する。
【０００２】
独国特許出願公開第１０２０１５２２１８２２号明細書において、ドラムまたはトレーとして構成されてもよいシート搬送要素が記述されている。このシート搬送要素において、吸着開口に、それぞれ少なくとも１つのセンサが対応付けされており、センサは、吸着開口を通って提供される吸込空気の吸着力を制御するために用いられる。
【０００３】
独国特許出願公開第１９８５７７４５号明細書には、シートガイド装置が記述されており、このシートガイド装置は、印刷シートと一緒に移動せず、したがってシート搬送要素ではない。
【０００４】
本発明の根底を成す課題は、高い操作確実性を有するシート搬送要素を提供することである。
【０００５】
この課題は、請求項１の特徴を有するシート搬送要素により解決される。本発明に係るシート搬送要素は、印刷シートを保持する複数の吸着開口と、複数の通気部を有する複数の縦スライダと、複数の通気部を有する複数の横スライダと、を備え、縦スライダと横スライダとは、縦横に交差して配置されていて、様々な判型に対応する切替位置へ摺動可能であり、切替位置において、縦スライダおよび横スライダは、様々に吸着開口を遮断する。
【０００６】
様々な判型は、様々なサイズの判型であってもよい。この場合、縦スライダおよび横スライダは、切替位置で、様々な数の吸着開口を遮断する。たとえば、縦スライダおよび横スライダは、小さな判型に対する切替位置では、大きな判型に対する切替位置よりも多くの吸着開口を遮断する。
【０００７】
様々な判型は、様々に配向された判型、つまり縦長判および横長判であってもよく、この場合、印刷シートのサイズは同一である。この場合、スライダは、縦長判に対する切替位置において、横長判に対する切替位置と厳密に同数の吸着開口を遮断することができる。この場合、切替位置は、互いに、受動的なまたは遮断された吸着開口の様々なパターン位置により区別される。
【０００８】
本発明に係るシート搬送要素の利点は、吸着開口の切替エラーを確実に回避することにある。
【０００９】
本名発明に係るシート搬送要素の様々な改良態様が実現可能である。
【００１０】
１つの改良態様では、縦スライダを切り替えるために、共通の第１の調節駆動装置が設けられている。第１の調節駆動装置は、第１のハンドグリップ、第１の工具差込成形部または好適には第１のモータとして構成されてもよい。
【００１１】
別の１つの改良態様では、第１の調節駆動装置は、第１のスピンドル駆動装置と結合されており、第１のスピンドル駆動装置に、第１の縦スライダ切替器および第２の縦スライダ切替器が装着されており、第１の縦スライダ切替器および第２の縦スライダ切替器は、直線的に摺動可能に支持されている。この場合、第１の縦スライダ切替器に、第１のスピンドル駆動装置の右ねじ山が螺入されており、第２の縦スライダ切替器に、第１のスピンドル駆動装置の左ねじ山が螺入されてもよい。これとは異なり、第１の縦スライダ切替器に対して、スピンドル駆動装置を有する調節駆動装置が設けられてもよく、第２の縦スライダ切替器に対して、別のスピンドル駆動装置を有する別の調節駆動装置が設けられてもよい。この場合、両方の縦スライダ切替器は、もはや共通の調節駆動装置と共通のスピンドル駆動装置とを有さず、それぞれ固有の調節駆動装置と固有のスピンドル駆動装置とを有する。
【００１２】
別の１つの改良態様では、第１の縦スライダ切替器および第２の縦スライダ切替器は、縦スライダに設けられたカム従動節と切替接触させられる切替カムを有する。
【００１３】
別の１つの改良態様では、横スライダを切り替えるために、共通の第２の調節駆動装置が設けられている。この場合、第２の調節駆動装置は、第２のハンドグリップ、第２の工具差込成形部または好適には第２のモータとして構成されてもよい。
【００１４】
別の１つの改良態様では、第２の調節駆動装置は、横スライダ切替器を位置調節するために用いられる第２のスピンドル駆動装置と結合されている。この横スライダ切替器は、横スライダに設けられたカム従動節と切替接触させられる切替カムを有してもよい。
【００１５】
別の１つの改良態様によれば、シート搬送要素は、トレーであり、横スライダ切替器は、直線的に摺動可能に支持されている。
【００１６】
択一的に、シート搬送要素は、ドラムであってもよく、横スライダ切替器は、回動可能に支持されている。
【００１７】
横スライダ（横スライダ孔）の通気部と縦スライダ（縦スライダ孔）の通気部とが相応に配置されていると、シート搬送要素が能動的な（遮断されていない）吸着開口を有する複数の矩形の吸着面を有するように選択された切替位置で、吸着開口が遮断されないようにまたは開いたままにすることも可能である。
【００１８】
同様に、対称の調節の代わりに、横スライダの非対称のまたは偏心的な調節が考えられ、ゆえに結果として偏心的に位置する吸着面が生じる。
【００１９】
他の改良態様は、以下の実施の態様の説明およびこれに付属する図面から理解される。
【図面の簡単な説明】
【００２０】
【図１】吸着開口に対する遮断スライダシステムが組み込まれたシート搬送トレーを示す。
【図２】吸着開口に対する遮断スライダシステムが組み込まれたシート搬送ドラムを示す。
【００２１】
図１は、インクジェット印刷用の印刷機のトレーを示している。トレーは、シート搬送要素であって、そのように称されてもよい。トレーは、これに載置している印刷シート１８と一緒に印刷機を通って搬送される。トレーは、真空発生器に接続可能な内室を有する平らなボックスの態様を有する。内室は、真空チャンバカバー３を有する真空チャンバを形成する。図面は、内室から真空チャンバカバー３の内側を見て図示されている。真空チャンバカバー３の外側に、印刷シート１８が位置する。
【００２２】
真空チャンバカバー３は、金属製のプレートであり、その４辺は、図面には示されていない。真空チャンバカバー３に、複数のカバー孔６が、矩形のパターンを成して配置された複数の吸着開口として穿設されている。パターン幅は、トレーおよび印刷シート１８の搬送方向Ｔに一致する縦方向で、横方向と同一である。カバー孔６は、吸込空気により印刷シート１８を把持するために用いられる。
【００２３】
印刷シート１８により覆われるカバー孔６の数は、印刷ジョブごとに判型とともに変化する。印刷シート１８により覆われていないカバー孔６が誤った空気を吸い込むことがないようにするために、これらのカバー孔６は、遮断スライダシステムにより閉鎖される。遮断スライダシステムは、真空チャンバ内に配置されている。遮断スライダシステムは、横スライダ１ａ〜１ｅと縦スライダ２ａ〜２ｈとを有し、横スライダ１ａ〜１ｅおよび縦スライダ２ａ〜２ｈは、それぞれ列を成して配置されている。横スライダ１ａ〜１ｅおよび縦スライダ２ａ〜２ｈは、それぞれストリップとして構成されていて、溝またはレールにより直線的に案内されている。これは、図面には示されていない。これらのストリップは、金属製の芯部を有し、芯部は、弾性プラスチックにより包囲されている。包囲により、ストリップの滑り面の気密性が改善される。
【００２４】
横スライダ１ａ〜１ｅは、縦スライダ２ａ〜２ｈとは別の平面内に配置されている。図面において、縦スライダ２ａ〜２ｈは、横スライダ１ａ〜１ｅの上に示されており、この場合、横スライダ１ａ〜１ｅは、真空チャンバカバー３と縦スライダ２ａ〜２ｈとの間に位置する。これに対して逆の位置の配置（そこでは横スライダ１ａ〜１ｅが縦スライダ２ａ〜２ｈの上に位置する）も可能である。横スライダ１ａ〜１ｅと縦スライダ２ａ〜２ｈとは、互いに縦横に交差して配置されている。
【００２５】
横スライダ１ａ〜１ｅは、真空チャンバカバー３と縦スライダ２ａ〜２ｈとに対して相対的に、搬送方向Ｔと平行である方向に摺動可能に支持されている。縦スライダ２ａ〜２ｈは、真空チャンバカバー３と横スライダ１ａ〜１ｅとに対して相対的に搬送方向Ｔに対して直交する方向に摺動可能に支持されている。
【００２６】
各々の横スライダ１ａ〜１ｅは、一連の横スライダ孔４を有し、各々の縦スライダ２ａ〜２ｈは、一連の縦スライダ孔５を有する。横スライダ孔４，縦スライダ孔５およびカバー孔６は、それぞれ貫通孔である。横スライダ孔４の間の孔間隔および縦スライダ孔５の間の孔間隔は、カバー孔６のパターン幅に一致する。
【００２７】
第１の縦スライダ切替器７と第２の縦スライダ切替器８とが、横方向に互いに接近するかつ互いに離間するように位置調節可能に支持されている。両方の縦スライダ切替器７，８は、縦スライダ２ａ〜２ｈを通過位置およびブロック位置へ摺動させるために用いられる。縦スライダ２ａ〜２ｈは、通過位置で吸込空気を通過させ、ブロック位置で吸込空気をブロックする。横スライダ切替器９は、横スライダ１ａ〜１ｅを通過位置およびブロック位置へ摺動させるために用いられる。各々の横スライダ１ａ〜１ｅの横スライダ孔４または縦スライダ２ａ〜２ｈの縦スライダ孔５は、通過位置ではカバー孔６と重畳するかまたは整合し、ブロック位置ではこれと同一のカバー孔６と重畳しない。
【００２８】
第１の縦スライダ切替器７には、共通の第１のスピンドル駆動装置１３の、右ねじ山１５を有する一部が螺入していて、第２の縦スライダ切替器８には、左ねじ山１４を有する一部が螺入している。第１のモータ１２は、第１のスピンドル駆動装置１３を回転させ、両方の縦スライダ切替器７，８が互いに逆向きに移動させられる。横スライダ切替器９には、第２のスピンドル駆動装置１７が螺入しており、第２のスピンドル駆動装置１７は、第２のモータ１６により回転させられ、横スライダ切替器９が移動させられる。両方のモータ１２，１６は、電動モータである。
【００２９】
両方の縦スライダ切替器７，８および横スライダ切替器９は、それぞれ切替カム１０を有する。切替カム１０は、主にＳ字形状を有し、この場合、カム延伸部分の互いに平行の２つの端部区分は、その間に位置する移行区分により互いに結合されている。両方の平行の端部区分は、互いに切り替えられるべきスライダの摺動方向にずらして構成されている。このずれにより、スライダの、両方の切替位置の間に位置する切替距離が決定される。切替距離は、カバー孔６のパターン幅ひいてはスライダ孔の孔間隔の半分のサイズである。
【００３０】
スライダを摺動させるために、切替カム１０は、スライダの端部に配置されたカム従動節１１を操作する。切替カム１０は、溝として構成されており、カム従動節１１は、この溝において走行するカムローラとして構成されている。各々の切替器がスライダ列に沿って移動するとき、１つのカム従動節１１は、別のカム従動節１１の後で切替器に進入するので、スライダ列のスライダは、相前後して切り替えられる。両方の縦スライダ切替器７，８の切替カム１０は、互いに鏡面対称的に移動する。
【００３１】
モータ１２，１６は、印刷シート１８のその都度の判に依存して制御され、続いて、印刷シート１８により重畳される真空チャンバカバー３の部分面において、横スライダ孔４とともに縦スライダ孔５も、カバー孔６と、吸込空気を案内するように重畳させられる。この重畳状況は、たとえば図示されているパターン位置Ｚで与えられている。そこでは、カバー孔６は、横スライダ１ｅの横スライダ孔４により、かつ同時に縦スライダ２ｃの縦スライダ孔５ｄにより重畳されている。相前後して接続された３つの孔４，５，６を通って、吸込空気が真空チャンバに流入して、印刷シート１８を把持することができる。
【００３２】
印刷シート１８により重畳された部分面の内側に位置する各々のカバー孔６は、相前後して接続された２つのスライダ孔により、つまり横スライダ孔４と縦スライダ孔５とにより重畳されている。印刷シート１８により重畳された部分面の外側に位置する各々のカバー孔６は、１つだけのスライダ孔により重畳されるか、またはスライダ孔により重畳されず、両方の場合、カバー孔６を通って吸込空気が真空チャンバに流入することがない。
【００３３】
たとえば、パターン位置Ｗにおいて、カバー孔６は、専ら縦スライダ２ｃの縦スライダ孔５により重畳されていて、横スライダ１ａの横スライダ孔４により重畳されていない。パターン位置Ｘにおいて、カバー孔６は、横スライダ１ａの横スライダ孔４とも縦スライダ２ａの縦スライダ孔５とも整合しない。パターン位置Ｙにおいて、カバー孔６は、専ら横スライダ１ｃの横スライダ孔５と整合し、縦スライダ２ｂの縦スライダ孔５とは整合しない。したがって、パターン位置Ｘおよびパターン位置Ｙにおいても、カバー孔６は、スライダの、閉鎖された面領域により重畳されているので、そこでは、誤った空気が真空チャンバに吸い込まれることがない。
【００３４】
図２は、平版オフセット印刷またはインクジェット印刷用の印刷機のドラムを示している。ドラムは、シート搬送要素であって、そのように称されてもよい。図２に示されていない印刷シートは、真空チャンバカバー２３の上に位置する。印刷シートは、その前縁で、クランプグリッパ４３により把持される。真空チャンバカバー２３において、カバー孔２６が、図１のトレーの場合のように、正方形のパターンを成して配置されている。カバー孔２６は、吸着開口として用いられる。真空チャンバカバー２３は、ドラムの周面を形成する。ドラムは、真空発生器に接続された内室を有する。真空発生器は、内室に負圧を形成し、これにより、印刷シートは、カバー孔２６を介して吸着され、ドラム周面に把持される。
【００３５】
内室には、遮断スライダシステムが配置されており、遮断スライダシステムは、横スライダ２１と縦スライダ２２とを有する。横スライダ２１は、列を成してドラム周に沿って配置されていて、軸方向に、ドラムの回転軸線４０と平行に、摺動可能に支持されている。この摺動性により、横スライダ２１は、軸方向スライダと称されてもよい。縦スライダ２２は、回転軸線４０と平行に延在する列を成して配置されている。各々の縦スライダ２２は、ドラムの周方向に摺動可能である。したがって、縦スライダ２２は、周方向スライダと称されてもよい。
【００３６】
横スライダ２１と縦スライダ２２との間に、貫通孔４５を有する中間層４４が位置する。貫通孔４５は、カバー孔２６と重なり合うように、正方形のパターンを成して配置されている。そのような中間層は、図１のトレーでも実現可能であり、ただしそこでは、平らなプレートとして構成されており、図２のようなカーブしたシェルとして構成されていない。
【００３７】
横スライダ２１および縦スライダ２２は、図１のトレーのスライダのように、通気部、つまり横スライダ孔２４または縦スライダ孔２５を有する。第１の縦スライダ切替器２７および第２の縦スライダ切替器２８は、第１のスピンドル駆動装置３３の、互いに逆向きのねじ山区分に螺着されている。第１のスピンドル駆動装置３３の構造形式は、図１のスピンドル駆動装置の構造形式に一致し、この第１のスピンドル駆動装置３３は、第１のモータ３２により回転させられ、両方の縦スライダ切替器２７，２８は、相互に逆向きに位置調節される。横スライダ切替器２９は、回動レバー３９に配置されており、回動レバー３９は、回転軸線４０を中心に回動可能に支持されている。
【００３８】
このドラムは、単倍サイズであってもよく、この場合、ドラムは、真空チャンバカバー２３により形成される専ら１つのシート載置面と、クランプグリッパ４３が中に装着された１つの胴溝とを有する。この場合、回動レバー３９は、専ら横スライダ切替器２９が位置する単一のアームしか有しない。
【００３９】
しかし、ドラムは、互いに直径方向の胴溝により分離された２つのシート載置面を有する２倍胴であってもよい。両方の胴溝の各々に、クランプグリッパが装着されている。この場合、回動レバーは、直径方向の２つのアームを有し、アームは、それぞれ１つの横スライダ切替器を支持する。一方の横スライダ切替器は、一方のシート載置面の遮断スライダシステムに属し、他方の横スライダ切替器は、他方のシート載置面の遮断スライダシステムに属する。
【００４０】
同様に、ドラムは、３つのシート載置面を有する３倍サイズに構成されてもよく、この場合、３つの横スライダ切替器が、放射状の回動レバーの３つのアームに配置されている。
【００４１】
縦横に交差する回動レバーを備える４倍サイズのドラムも実現可能である。
【００４２】
いずれの場合にも、回動レバー３９に対して、第２のスピンドル駆動装置３７を回転させるための第２のモータ３６を有する単一の駆動システムしか必要とされない。第２のモータ３６は、ヒンジピン４２を介して、ドラムのベースボディに支持されている。モータ軸の延長部により形成される第２のスピンドル駆動装置３７は、スピンドルナット４１に螺入されている。スピンドルナット４１は、回動レバー３９のアームと枢着式に結合されている。第２のモータ３６の回転により、スピンドルナット４１は、回動方向に応じて、第２のスピンドル駆動装置３７に沿って、第２のモータ３６へ向けて、または第２のモータ３６から離れるように動かされる。これにより、回動レバー３９が回動させられ、回動レバー３９に配置された横スライダ切替器２９が、１つの横スライダ２１と、別の横スライダ２１の後で切替接触させられる。切替接触時、各々の横スライダ２１に取り付けられたカム従動節３１が、横スライダ切替器２９の切替カム３０により操作される。
【００４３】
両方の縦スライダ切替器２７，２８は、トレーの両方の縦スライダ切替器７，８と同一の構造形式を有する。横スライダ切替器２９も、原則的に、横スライダ２１および横スライダ２１のカム従動節３１の、周方向に延在する列に適合させるためのカーブの他は、図１の横スライダ切替器９と同一の構造形式を有する。
【００４４】
ドラムの遮断スライダシステムの目的および機能は、トレーにおけるそれに一致するので、ここで繰り返し説明する必要がない。
【００４５】
トレーおよびドラムの変化態様では、モータ１２，１６または３２，３６は、回動グリップ、またはクランクハンドル、または工具のための差込成形部（たとえば差込スパナのための六角嵌合成形部）または同様の調節駆動装置により代用されてもよく、構造的なスピンドル駆動装置１３，１７または３３，３７の手動の回転が行われる。
【符号の説明】
【００４６】
１ａ〜１ｅ  横スライダ
２ａ〜２ｈ  縦スライダ
３  真空チャンバカバー
４  横スライダ孔
５  縦スライダ孔
６  カバー孔
７  第１の縦スライダ切替器
８  第２の縦スライダ切替器
９  横スライダ切替器
１０  切替カム
１１  カム従動節
１２  第１のモータ（縦スライダ用）
１３  第１のスピンドル駆動装置（縦スライダ用）
１４  左ねじ山
１５  右ねじ山
１６  第２のモータ（横スライダ用）
１７  第２のスピンドル駆動装置（横スライダ用）
１８  印刷シート
２１  横スライダ（軸方向スライダ）
２２  縦スライダ（周方向スライダ）
２３  真空チャンバカバー
２４  横スライダ孔
２５  縦スライダ孔
２６  カバー孔
２７  第１の縦スライダ切替器
２８  第２の縦スライダ切替器
２９  横スライダ切替器
３０  切替カム
３１  カム従動節
３２  第１のモータ（縦スライダ用）
３３  第１のスピンドル駆動装置（縦スライダ用）
３６  第２のモータ（横スライダ用）
３７  第２のスピンドル駆動装置（横スライダ用）
３９  回動レバー
４０  回転軸線
４１  スピンドルナット
４２  ヒンジピン
４３  クランプグリッパ
４４  中間層
４５  貫通孔
Ｔ  搬送方向
Ｗ  パターン位置
Ｘ  パターン位置
Ｙ  パターン位置
Ｚ  パターン位置
【図１】
2018070380.tif 000003
【図２】
2018070380.tif 000004
【外国語明細書】
2018070380.tif 000005
2018070380.tif 000006
2018070380.tif 000007
2018070380.tif 000008
2018070380.tif 000009
2018070380.tif 000010
2018070380.tif 000011
2018070380.tif 000012
2018070380.tif 000013
2018070380.tif 000014
2018070380.tif 000015
2018070380.tif 000016
2018070380.tif 000017
2018070380.tif 000018
2018070380.tif 000019
2018070380.tif 000020
2018070380.tif 000021